(57)【要約】【課題】操作ノブの角度位置に応じて照明される発光部が切り替わるスイッチ装置を安価に提供する。【解決手段】スイッチ装置１は、導光体５１と、遮光板部３０と、スリット３６と、を有する。導光体５１は、光源１１ａから照射された光を発光部５１ａ〜５１ｇに誘導する。遮光板部３０は、光源１１ａから照射された光の導光体５１への入射を阻止すると共に、操作ノブ６の回転に連動して回転軸Ｘ回りに回転する。スリット３６は、光源１１ａから照射された光を導光体５１側に通過させる。導光体５１は、発光部５１ａ〜５１ｇに１対１で設けられていると共に、回転軸Ｘ周りの周方向に、発光部５１ａ〜５１ｇと同数並んでいる。操作ノブ６の回転に連動して回転軸Ｘ周りの周方向に変位するスリット３６により、光源１１ａから照射した光が入射する導光体５１が、操作ノブ６の回転軸Ｘ回りの角度位置に応じて切り替わる。【選択図】図１４
2020035545.tif 000002
【特許請求の範囲】
【請求項１】
回転軸回りに回転可能な操作ノブと、
前記回転軸周りの周方向に並んだ複数の照明部位と、を有し、
前記操作ノブの前記回転軸回りの角度位置に応じて、照明される前記照明部位が切り替わるように構成されたスイッチ装置であって、
前記回転軸方向において光源と前記照明部位との間に設けられて、前記光源から照射された光を前記照明部位に誘導する導光体と、
前記回転軸方向における前記光源と前記導光体との間に配置されて、前記光源から照射された光の前記導光体への入射を阻止すると共に、前記操作ノブの回転に連動して前記回転軸回りに回転する遮光部材と、
前記遮光部材に設けられて、前記光源から照射された光を前記導光体側に通過させる開口部と、を有し、
前記導光体は、前記照明部位に１対１で設けられていると共に、前記回転軸周りの周方向に並んでおり、
前記操作ノブの回転に連動して前記回転軸周りの周方向に変位する前記開口部により、前記光源から照射した光が入射する前記導光体が、前記操作ノブの角度位置に応じて切り替わるようにしたことを特徴とするスイッチ装置。
【請求項２】
前記回転軸方向から見て前記遮光部材では、前記開口部が、前記回転軸回りの周方向に複数並んでおり、
前記光源は、前記開口部と同数設けられており、
前記光源の総数は、前記照明部位の総数未満であることを特徴とする請求項１に記載のスイッチ装置。
【請求項３】
前記回転軸方向から見て前記光源は、前記周方向で隣り合う導光体の間にひとつずつ配置されており、
前記開口部は、前記光源から照射された光を、前記周方向で隣り合う導光体のうちの一方に入射させることを特徴とする請求項１または請求項２に記載のスイッチ装置。
【請求項４】
前記回転軸方向から見て前記光源は、前記回転軸を所定間隔で囲む仮想円上で、周方向に間隔を開けて並んでおり、
前記回転軸方向から見て前記開口部は、前記仮想円と重なる位置に設けられていると共に、前記仮想円の周方向に所定長さを有するスリット状に形成されていることを特徴とする請求項３に記載のスイッチ装置。
【請求項５】
前記周方向で隣り合う導光体は、前記光源から照射された光の入射面を、前記周方向から前記光源に向けて設けられていることを特徴とする請求項３または請求項４に記載のスイッチ装置。
【発明の詳細な説明】
【技術分野】
【０００１】
本発明は、スイッチ装置に関する。
【背景技術】
【０００２】
特許文献１には、回転軸回りに回転可能な環状の操作ノブ（ダイヤル式の操作ノブ）における照明構造が開示されている。
【先行技術文献】
【特許文献】
【０００３】
【特許文献１】特許第３６２０２４５号公報
【０００４】
回転軸回りに回転可能な環状の操作ノブを有するスイッチ装置では、操作ノブが、スイッチ装置が備える支持軸で回転可能に支持されており、操作ノブを回転軸回りに回転させて所定の角度位置に配置すると、角度位置に応じて決められた機能が発揮される。
【０００５】
操作ノブの開口を塞ぐカバー部の表面には、操作ノブに割り当てられた機能を視覚的に認識させるための識別記号（符号、絵柄など）が付されている。
スイッチ装置では、操作ノブの回転軸回りの回転に基準位置が設定されている。
操作ノブを操作するユーザは、目的とする機能に対応する識別記号が基準位置に配置されるように、操作のノブを回転させることで、目的の機能を発揮させる。
【発明の概要】
【発明が解決しようとする課題】
【０００６】
ここで、カバー部の表面において識別記号は、回転軸周りの周方向に複数設けられている。そのため、識別記号の各々を照明する場合には、操作ノブの内側に配置されたプリント基板に、識別記号（照明部位）と同数の光源を設置することが一般的である。
【０００７】
この場合、照明部位の数が多くなると、光源の数もまた増えるため、スイッチ装置の作製コストが高くなる。
また、光源の数が多くなると、予定されていない照明部位が照明されることを避けるために、スイッチ装置の内部に、遮光部材などを設ける必要が生じる。このこともまた、スイッチ装置の作製コストが高くなる要因となる。
【０００８】
そこで、操作ノブの回転軸回りの角度位置に応じて照明部位が切り替わるように構成されたスイッチ装置を、より安価に提供できるようにすることが求められている。
【課題を解決するための手段】
【０００９】
本発明は、
回転軸回りに回転可能な操作ノブと、
前記回転軸周りの周方向に並んだ複数の照明部位と、を有し、
前記操作ノブの前記回転軸回りの角度位置に応じて、照明される前記照明部位が切り替わるように構成されたスイッチ装置であって、
前記回転軸方向において光源と前記照明部位との間に設けられて、前記光源から照射された光を前記照明部位に誘導する導光体と、
前記回転軸方向における前記光源と前記導光体との間に配置されて、前記光源から照射された光の前記導光体への入射を阻止すると共に、前記操作ノブの回転に連動して前記回転軸回りに回転する遮光部材と、
前記遮光部材に設けられて、前記光源から照射された光を前記導光体側に通過させる開口部と、を有し、
前記導光体は、前記照明部位に１対１で設けられていると共に、前記回転軸周りの周方向に並んでおり、
前記操作ノブの回転に連動して前記回転軸周りの周方向に変位する前記開口部により、前記光源から照射した光が入射する前記導光体が、前記操作ノブの角度位置に応じて切り替わるようにした構成のスイッチ装置とした。
【発明の効果】
【００１０】
本発明によれば、照明部位毎に光源を設ける必要がないので、光源の総数を減らすことができる。
これにより操作ノブの回転軸回りの角度位置に応じて照明される照明部位が切り替わる構成のスイッチ装置をより安価に提供できる。
【図面の簡単な説明】
【００１１】
【図１】スイッチ装置を説明する図である。
【図２】スイッチ装置の分解斜視図である。
【図３】スイッチ装置の断面図である。
【図４】ターミナルブロックを説明する図である。
【図５】スライダを説明する図である。
【図６】カバー部とプッシュボタンを説明する図である。
【図７】ホルダを説明する図である。
【図８】ムービングブロックを説明する図である。
【図９】ムービングブロックを説明する図である。
【図１０】ムービングブロックを説明する図である。
【図１１】ムービングブロックの回転角度の検出を説明する図である。
【図１２】導光部を説明する図である。
【図１３】ムービングブロックの作用を説明する図である。
【図１４】ムービングブロックの作用を説明する図である。
【発明を実施するための最良の形態】
【００１２】
以下、本発明の実施形態を説明する。
図１は、スイッチ装置１を説明する図である。図１の（Ａ）は、スイッチ装置１を斜め上方から見た斜視図である。図１の（Ｂ）は、スイッチ装置１を上方から見た平面図である。なお、以下の説明においては、説明の便宜上、図１の（Ａ）における「上側」「下側」を用いて、スイッチ装置１の各構成要素の位置関係を説明する。
【００１３】
図１に示すように、スイッチ装置１では、環状の操作ノブ６の内側に、環状の照明部５と、環状のカバー部８と、円形のプッシュボタン９と、を有している。
【００１４】
スイッチ装置１では、操作ノブ６が、スイッチ装置１の中心を通る回転軸Ｘ回りに回転可能に設けられている。スイッチ装置１では、操作ノブ６を回転軸Ｘ回りに回転させて所定の角度位置に配置すると、操作ノブ６の回転軸Ｘ回りの角度位置に応じて決められた機能のオン信号が出力される。
【００１５】
カバー部８の表面には、操作ノブ６に割り当てられた機能を視覚的に認識させるための符号、絵柄などの識別符号ＭＫａ〜ＭＫｇが付されている。
照明部５では、これら識別符号ＭＫａ〜ＭＫｇの径方向外側に、発光部５１ａ〜５１ｇ（照明部位）が位置している。発光部５１ａ〜５１ｇは、後記する光源１１ａから照射された光の発光面となっている。
【００１６】
スイッチ装置１では、操作ノブ６が、例えば識別符号ＭＫｄに対応する機能を発揮させる角度位置に配置されると、識別符号ＭＫｄの径方向外側に位置する発光部５１ｄが発光する。
これにより、スイッチ装置１を操作するユーザが、操作ノブ６が識別符号ＭＫｄに対応する機能を発揮させる角度位置に配置されていることを、視覚的に認識できる。
【００１７】
カバー部８の内側に配置されたプッシュボタン９は、回転軸Ｘ方向に移動可能に設けられている。このプッシュボタン９の表面にも、プッシュボタン９に割り当てられた機能を視覚的に認識させるための識別符号ＭＫ１と、発光部９ａと、が設けられている。
スイッチ装置１では、ユーザが、プッシュボタン９を押圧すると、プッシュボタン９に対応する機能が発揮されると共に、発光部９ａが発光する。プッシュボタン９をさらに押されると、プッシュボタン９に対応する機能が発揮されない状態になると共に、発光部９ａが消灯する。
【００１８】
以下、スイッチ装置１の各構成要素を説明する。
図２は、スイッチ装置１の分解斜視図である。図３は、スイッチ装置１の断面図である。図３の（Ａ）は、スイッチ装置１を、図１の（Ｂ）におけるＡ−Ａ線に沿って切断した断面図である。図３の（Ｂ）は、（Ａ）におけるＡ−Ａ断面図である。
図４は、ターミナルブロック２を説明する図である。図４の（Ａ）は、ターミナルブロック２を操作ノブ６側の上方から見た平面図である。図４の（Ｂ）は、（Ａ）におけるＡ−Ａ断面図である。図４の（Ｃ）は、（Ａ）におけるＢ−Ｂ断面図である。
【００１９】
［ターミナルブロック２］
図４に示すように、ターミナルブロック２は、円板状の底壁部２０と、底壁部２０の外周を全周に亘って囲む周壁部２１と、を有している。
周壁部２１における底壁部２０とは反対側の端部２１ａには、周壁部２１よりも大径のフランジ部２１０が設けられている。
回転軸Ｘ方向から見てフランジ部２１０は、リング状を成しており、フランジ部２１０の端面２１０ａは、回転軸Ｘに直交する平坦面となっている。
【００２０】
フランジ部２１０の端面２１０ａには、操作ノブ６の当接部６０ａと、ムービングブロック３の円板部３２２が、回転軸Ｘ方向から当接する。この状態において、操作ノブ６とムービングブロック３は、回転軸Ｘ回りの一体回転が許容された状態で、ターミナルブロック２で支持されている。
【００２１】
周壁部２１の内側には、プリント基板１１（図２、図３参照）の支持部２２が設けられている。
図４の（Ａ）に示すように、回転軸Ｘ方向から見て支持部２２は、周壁部２１の内周から膨出する円弧形状を成している。支持部２２は、回転軸Ｘ周りの周方向に１２０度間隔で３つ設けられている。
【００２２】
支持部２２の内周面２２ａは、周壁部２１の外周と接する接線ＢＬ方向に延びる直線状を成している。
支持部２２は、周壁部２１の回転軸Ｘ方向の略中間まで及ぶ高さｈａで形成されている。支持部２２の上面２２ｂには、環状突起２３が設けられている。回転軸Ｘ方向から見て環状突起２３は、回転軸Ｘを所定間隔で囲む仮想円Ｉｍ１に沿う円弧状を成している。
支持部２２の上面２２ｂは、環状突起２３よりも回転軸Ｘ側の領域が、プリント基板１１の載置面となっている。
【００２３】
周壁部２１では、回転軸Ｘ回りの周方向で隣り合う支持部２２、２２の間の領域が、係止部２１１となっている。この係止部２１１には、後記するプリント基板１１の係止片１１０ａが係止されて、プリント基板１１の回転軸Ｘ回りの回転が規制される。
【００２４】
周壁部２１の内側には、合計３つの係止部２１１が設けられている。底壁部２０では、３つの係止部２１１のうちの１つの係止部２１１に接する領域に、連絡孔２０ａが開口している。
連絡孔２０ａは、底壁部２０を厚み方向（回転軸Ｘ方向）に貫通している（図４の（Ｃ）参照）。
底壁部２０における周壁部２１とは反対側の面には、連絡孔２０ａを囲むコネクタカバー２９が設けられている。コネクタカバー２９の内側には、プリント基板１１に接続された接続端子１３が収容される。
【００２５】
底壁部２０では、連絡孔２０ａに隣接する位置に、支持筒２４が設けられている。支持筒２４は、回転軸Ｘに沿って底壁部２０から離れる方向に直線状に延びている。
支持筒２４の上端２４ａは、前記した環状突起２３と略同じ高さ位置に配置されている。
【００２６】
図４の（Ａ）に示すように、底壁部２０において支持筒２４は、回転軸Ｘを挟んで対称となる位置関係で設けられている。底壁部２０では、合計２つの支持筒２４、２４が、回転軸Ｘを挟んで対称となる位置関係で設けられている。
図３の（Ａ）に示すように、スイッチ装置１内において支持筒２４は、回転軸Ｘ方向から、後記するホルダ４の当接部４４に当接している。
【００２７】
図４の（Ａ）に示すように、底壁部２０では、支持筒２４、２４の間の領域であって、回転軸Ｘに近接する位置に、回転軸Ｘ方向から見て矩形形状を成すガイド筒２５が設けられている。
ガイド筒２５は、回転軸Ｘに沿って底壁部２０から離れる方向に直線状に延びている。
ガイド筒２５は、前記した環状突起２３よりも僅かに低い高さで設けられている。
【００２８】
図３に示すように支持部２２では、環状突起２３の内側に、プリント基板１１が載置されている。そして、プリント基板１１の上面を、ラバーコンタクト１２が覆っている。
【００２９】
［プリント基板１１］
図２に示すように、プリント基板１１は、回転軸Ｘ方向から見て略円形を成す基部１１０を有している。基部１１０の外周には、前記した係止部２１１に係止される係止片１１０ａが設けられている。係止片１１０ａは、ターミナルブロック２側の係止部２１１と同数設けられている。
【００３０】
基部１１０の上面には、後記する照明部５に向けて光を照射する光源１１ａが設けられている。光源１１ａは、回転軸Ｘ回りの周方向に９０度間隔で４つ設けられている。
周方向で隣り合う光源１１ａ、１１ａの間には、フォトトランジスタ１４が設けられている。フォトトランジスタ１４は、後記する操作ノブ６（ムービングブロック３）の回転軸Ｘ周りの角度位置の検出に用いられる。
【００３１】
プリント基板１１の基部１１０では、前記した支持筒２４、２４と、ガイド筒２５に対応する位置に貫通孔１１ｃ、１１ｃ、１１ｄが設けられている。
【００３２】
プリント基板１１は、貫通孔１１ｃ、１１ｃ、１１ｄを貫通した支持筒２４、２４と、ガイド筒２５により、回転軸Ｘの径方向の位置ずれが規制されている。
【００３３】
貫通孔１１ｄに隣接して設けられた光源１１ｂは、プッシュボタン９の発光部９ａ（図１参照）から発光させるための光源である。
この光源１１ｂから照射された光は、後記する導光板９５を通って、プッシュボタン９まで誘導される。
【００３４】
［ラバーコンタクト１２］
図２に示すように、ラバーコンタクト１２は、回転軸Ｘ方向から見て略円形を成す基部１２０を有している。基部１２０の外周には、前記した係止部２１１に係止される係止片１２０ａが設けられている。係止片１２０ａは、ターミナルブロック２側の係止部２１１と同数設けられている。
【００３５】
基部１２０の上面には、光源１１ａから照射された光を透過させる透過部１２ａが設けられている。透過部１２ａは、前記した光源１１ａの上側に位置するように設けられている。
基部１２０では、前記した支持筒２４、２４と、ガイド筒２５に対応する位置に貫通孔１２ｃ、１２ｃ、１２ｄが設けられている。
【００３６】
ラバーコンタクト１２は、貫通孔１２ｃ、１２ｃ、１２ｄを貫通した支持筒２４、２４と、ガイド筒２５により、回転軸Ｘの径方向の位置ずれが規制されている。
【００３７】
ラバーコンタクト１２は、可動接点（図示せず）を中心線方向に変位可能に支持する接点支持部１２ｅ、１２ｅを有している。
接点支持部１２ｅ、１２ｅは、プリント基板１１の上面に露出する固定接点１１ｅ、１１ｅの上方で、可動接点を支持している。
【００３８】
接点支持部１２ｅ、１２ｅは、プッシュボタン９が押圧された際に、スライダ７の押圧部７３、７３により押されてプリント基板１１側に変位する。これにより接点支持部１２ｅ、１２ｅが支持する可動接点が、固定接点１１ｅ、１１ｅに接触して、オン信号が出力させる。
【００３９】
［スライダ７］
図５は、スライダ７を説明する図である。図５の（Ａ）は、スライダ７を斜め上方から見た斜視図である。図５の（Ｂ）は、スライダ７を斜め下方から見た斜視図であり、図５（Ｃ）は、スライダの断面図であり、図５の（Ｄ）は、スライダ７を（Ｃ）におけるＡ−Ａ線で切断した断面図である。
【００４０】
図５に示すように、スライダ７は、円筒形状の基部７０を有している。スイッチ装置１内においてスライダ７は、回転軸Ｘに沿う向きで設けられており、スライダ７は、回転軸Ｘと同心に設けられている。
基部７０の長手方向の一端（下端）では、基部７０の外周に押圧部７３、７３が設けられている。
図５の（Ｄ）に示すように、押圧部７３、７３は、回転軸Ｘ回りの中方向に１８０度位相をずらして設けられている。
【００４１】
基部７０の内部には、仕切壁７２が設けられている。仕切壁７２は、回転軸Ｘから径方向外側に離れた位置を、回転軸Ｘに沿って直線状に設けられている。基部７０の内部空間Ｓは、仕切壁７２により２つの空間Ｓ１、Ｓ２に区画されている。
【００４２】
仕切壁７２は、基部７０の長手方向の一端（下端）を塞ぐ底壁７１を貫通している。
仕切壁７２の下端７２ａは、スライダ７をスイッチ装置１の内部に組み込んだ際に、ラバーコンタクト１２の貫通孔１２ｄと、プリント基板１１の貫通孔１１ｄとを貫通して、回転軸Ｘ方向からガイド筒２５内に挿入される。
【００４３】
空間Ｓ１側には、矩形形状の開口７１ａを有する底壁７１が設けられている。この空間Ｓ１には、開口７１ａよりも大きい断面積を持つ板状の導光板９５が収容されている。導光板９５は、光源１１ｂ（図２参照）から照射された光を、プッシュボタン９に誘導するために設けられている。
【００４４】
なお、空間Ｓ２側の底壁７１には、仕切壁７２から離れるにつれて開口幅が広くなる形状の開口７１ｂが設けられている。
【００４５】
基部７０の外周には、周方向に９０度間隔で４つのリブ７０１が設けられている。リブ７０１の各々は、回転軸Ｘに沿う向きで設けられている。リブ７０１の各々は、基部７０の一端（下端）から他端（上端）側に直線状に延びている。
基部７０の他端（上端）側の外周には、周方向に１８０度間隔で２つの係合突起７０２、７０２が設けられている。
【００４６】
係合突起７０２、７０２は、スライダ７をプッシュボタン９に組み付けた際に、プッシュボタン９から延びる係合片９３の係合孔９３ａ（図６参照）に係合して、スライダ７とプッシュボタン９とが一体に連結される。
【００４７】
［プッシュボタン９］
図６は、プッシュボタン９と、カバー部８と、を説明する図である。
図６の（Ａ）は、プッシュボタン９と、カバー部８とを回転軸Ｘ方向に離間させて配置した状態の断面図である。
図６の（Ｂ）は、プッシュボタン９と、カバー部８とを回転軸Ｘ方向に離間させて配置した状態の斜視図である。
【００４８】
図６に示すように、プッシュボタン９は、リング状の基部９０と、基部９０の外周縁を全周に亘って囲む周壁部９１とを有している。周壁部９１の上側の開口は、円板状の操作面９４で塞がれている。この操作面９４には、導光板９５の上端が嵌合するスリット状の発光部９ａ（図１参照）が設けられている。
【００４９】
周壁部９１の下側の端部には、周壁部９１の外周を全周に亘って囲むフランジ部９２が設けられている。周壁部９１には、スライダ７側の下方に延びる係合片９３、９３が、回転軸Ｘ回りの周方向に１８０度間隔で２つ設けられている。
【００５０】
スイッチ装置１において、プッシュボタン９は、環状のカバー部８の内側に収容された状態で、回転軸Ｘ方向に移動可能となっている。
カバー部８は、リング状の基部８０と、基部８０の外周を全周に亘って囲む周壁部８１と、基部８０の貫通孔８０ａを囲む内壁部８２と、を有している。
内壁部８２には、ホルダ４側の下方に延びる係合片８３が、回転軸Ｘ回りの周方向に９０度間隔で４つ設けられている。
係合片８３の各々には、ホルダ４側の係合突起４２ａが係合する係合孔８３ａが設けられている。
【００５１】
［ホルダ４］
図７は、ホルダを説明する図である。図７の（Ａ）は、ホルダ４を斜め上方から見た斜視図である。図７の（Ｂ）は、ホルダ４を上方から見た平面図である。図７の（Ｃ）は、（Ｂ）におけるＡ−Ａ断面図である。図７の（Ｄ）は、（Ｂ）におけるＢ−Ｂ断面図である。
【００５２】
ホルダ４は、円筒形状の基部４０を有している。スイッチ装置１内においてホルダ４は、回転軸Ｘに沿う向きで設けられており、ホルダ４は、回転軸Ｘと同心に設けられている。
基部４０の長手方向の上端では、当該基部４０の外周に係合部４２が設けられている。
図７の（Ｂ）に示すように、係合部４２は、回転軸Ｘ回りの周方向に９０度間隔で４つ設けられている。係合部４２の外周には、係合突起４２ａが設けられている。
【００５３】
基部４０の上端側の外周では、スプリングホルダ４３が設けられている。スプリングホルダ４３は、４つの係合部４２のうちの１つの係合部４２に隣接して、係合部４２と一体に設けられている。
【００５４】
スプリングホルダ４３は、開口を下方に向けた収容部４３１を有しており、この収容部４３１内にスプリングＳｐとボールＢとが収容される。
ホルダ４をスイッチ装置１の内部に組み込んだ際に、スプリングＳｐからの付勢力を受けたボールＢが、ムービングブロック３の環状壁３５（図３の（Ｂ）参照）に弾発的に係合するようになっている。
【００５５】
基部４０の下端側の外周には、一対の当接部４４、４４が設けられている。当接部４４、４４は、回転軸Ｘ回りの周方向に１８０度位相をずらして設けられている。
当接部４４、４４は、円柱形状を成しており、基部４０の下端から下方に向けて延出している。
当接部４４、４４は、ホルダ４をスイッチ装置１の内部に組み込んだ際に、ターミナルブロック２側の支持筒２４、２４に回転軸Ｘ方向から当接する（図３の（Ａ）参照）。これにより、スイッチ装置１内においてホルダ４がターミナルブロック２の支持筒２４、２４を基準として、回転軸Ｘ方向の位置決めがされる。
なお、ホルダ４に組み付けられたカバー部８も同様に、ターミナルブロック２の支持筒２４、２４を基準として、回転軸Ｘ方向の位置決めがされる。
【００５６】
基部４０の内周面には、周方向に９０度間隔で４つのガイド溝４０１が設けられている。ガイド溝４０１の各々は、回転軸Ｘに沿う向きで設けられている。ガイド溝４０１の各々は、基部４０の上端から下端まで直線状に延びている。
【００５７】
ガイド溝４０１を有する基部４０には、ホルダ４をスイッチ装置１に組み付けた際に、スライダ７の基部７０が挿入されるようになっている。この際に、基部７０の外周のリブ７０１が、基部４０の内周のガイド溝４０１に回転軸Ｘ方向から挿入される。この状態で、ターミナルブロック２で保持されたホルダ４で、スライダ７が回転軸Ｘ方向に移動可能に設けられている。
【００５８】
前記したように、スライダ７の押圧部７３、７３は、回転軸Ｘ方向から、ラバーコンタクト１２の接点支持部１２ｅ、１２ｅに当接している（図３の（Ｂ）参照）。
スライダ７には、押圧部７３、７３を介して、ラバーコンタクト１２の接点支持部１２ｅ、１２ｅから、スライダ７を上方に変位させる方向の付勢力が作用している。
スライダ７が固定されたプッシュボタン９は、スライダ７側から作用する付勢力で、フランジ部９２を、カバー部８の基部８０の貫通孔８０ａの周縁部に当接させている。
【００５９】
ラバーコンタクト１２と、このラバーコンタクト１２が載置されたプリント基板１１は、ムービングブロック３の周壁部３１の内側に収容されている（図３参照）。
【００６０】
［ムービングブロック３］
図８から図１０は、ムービングブロック３を説明する図である。図８の（Ａ）は、ムービングブロック３を上方から見た図である。図８の（Ｂ）は、（Ａ）においてムービングブロック３を、Ａ−Ｘ−Ｂ−Ｃ線に沿って切断した斜視図である。
図９の（Ａ）は、ムービングブロック３を、図８の（Ａ）においてＡ−Ａ線に沿って切断した断面図である。図９の（Ｂ）は、ムービングブロック３を、図８の（Ａ）においてＤ−Ｄ線に沿って切断した断面図である。
図１０は、ムービングブロック３を、ターミナルブロック２側の斜め下方から見た斜視図である。
図１１は、ムービングブロック３の回転軸Ｘ回りの回転角度の検出を説明する図である。この図１１は、図９のＡ−Ａ線に沿って切断したムービングブロック３を、スイッチ装置１の他の構成要素と共に示した図である。
【００６１】
ムービングブロック３は、円板状の遮光板部３０と、底壁部２０の外周を全周に亘って囲む周壁部３１と、連結部３２と、を有している。
周壁部３１は、回転軸Ｘを所定間隔で囲む円筒形状を成している。遮光板部３０は、周壁部３１の下端（当接部３１ａ）から上方に所定高さｈ２離間した位置に設けられている。
【００６２】
遮光板部３０の中央には、遮光板部３０を厚み方向に貫通する貫通孔３０ａが設けられている。
遮光板部３０のターミナルブロック２側の下面には、シャッタ部３７が設けられている。図１１に示すように、シャッタ部３７は、遮光板部３０の貫通孔３０ａを囲む周辺部から、ターミナルブロック２側の下方に延出する板状片である。
【００６３】
シャッタ部３７は、回転軸Ｘ周りの周方向に４５度間隔で、仮想円Ｉｍｃに沿って設けられている。回転軸Ｘ方向から見てシャッタ部３７の各々は、貫通孔３０ａの内周に沿う弧状を成している。
【００６４】
前記したようにスイッチ装置１では、プリント基板１１（図２参照）にフォトトランジスタ１４が設けられている。フォトトランジスタ１４は、仮想円Ｉｍｃを挟んだ一方側と他方側に、発光部１４１と受光部１４２とを有している。
本実施形態では、操作ノブ６の操作に連動して、ムービングブロック３が回転軸Ｘ回りに回転すると、ムービングブロック３が備えるシャッタ部３７が、フォトトランジスタ１４の発光部１４１と受光部１４２との間を通過する。発光部１４１と受光部１４２との間をシャッタ部３７が通過すると、図示しない制御部が、シャッタ部３７の通過回数をカウントし、カウント数から、操作ノブ６の位置を特定するようになっている。
【００６５】
遮光板部３０の上面には、貫通孔３０ａを囲む環状壁３５が設けられている。
環状壁３５は、山部３５ａと谷部３５ｂとが、回転軸Ｘ周りの周方向に交互に連なっている。環状壁３５には、ホルダ４でスプリングＳｐを介して支持されたボールＢ（図３の（Ｂ）参照）が、回転軸Ｘ方向から弾発的に係合している。
環状壁３５は、回転軸Ｘ方向の周壁部３１の高さｈｘの範囲内に収まっている。
【００６６】
図８の（Ａ）に示すように、遮光板部３０では、環状壁３５の外側に、遮光板部３０を厚み方向に貫通するスリット３６が設けられている。スリット３６は、回転軸Ｘ回りの周方向に９０度間隔で４つ設けられている。回転軸Ｘ方向から見てスリット３６は、長方形形状を成している。遮光板部３０の直径線Ｌｍ上に２つのスリット３６、３６が設けられている。直径線Ｌｍに直交する他の直径線Ｌｎ上に２つのスリット３６、３６が設けられている。
【００６７】
遮光板部３０の直径線Ｌｍ上では、回転軸Ｘを挟んで対称となる位置関係でスリット３６、３６が設けられている。スリット３６、３６は、直径線Ｌｍに直交する向きで設けられており、直径線Ｌｍの一方側（図中、下側）から他方側（図中、上側）に横切って設けられている。長方形形状を成すスリット３６は、長手方向の中心を直径線Ｌｍ上に位置させている。
【００６８】
遮光板部３０の直径線Ｌｎ上でも、回転軸Ｘを挟んで対称となる位置関係でスリット３６、３６が設けられている。スリット３６、３６は、直径線Ｌｎに直交する向きで設けられており、直径線Ｌｎの一方側（図中、右側）から他方側（図中、左側）に横切って設けられている。長方形形状を成すスリット３６は、長手方向の中心を直径線Ｌｎ上に位置させている。
【００６９】
図８の（Ａ）に示すように、回転軸Ｘ方向から見てスリット３６は、回転軸Ｘを所定間隔で囲む仮想円Ｉｍａに重なる位置に設けられている。
スリット３６は、仮想円Ｉｍａの周方向に長手方向を沿わせた向きで設けられている。スリット３６は、仮想円Ｉｍａの周方向に所定長さを有している。
【００７０】
図８の（Ｂ）に示すように、スリット３６の外側に位置する周壁部３１では、回転軸Ｘ方向における前記した環状壁３５よりも上側の位置に、操作ノブ６が連結される連結部３２が設けられている。
【００７１】
連結部３２は、周壁部３１の上端に設けられている。連結部３２は、周壁部３１との接続部３２１と、接続部３２１の上端から回転軸Ｘの径方向に延びる円板部３２２と、円板部３２２から上方に延びる環状壁部３２３と、を有している。
【００７２】
接続部３２１は、後記する照明部５から下方に延びる導光体５１との干渉を避けるために、周壁部３１よりも大きい内径と外径で形成されている（図３の（Ｂ）参照）。
【００７３】
図９の（Ａ）に示すように、連結部３２の外周は、ムービングブロック３をターミナルブロック２に組み付けた状態で、ターミナルブロック２のフランジ部２１０よりも内側に位置している。
円板部３２２は、接続部３２１における突出した領域の外周から、回転軸Ｘの径方向外側に直線状に延びている。
【００７４】
円板部３２２は、回転軸Ｘ回りの周方向の全周に亘って設けられており、回転軸方向から見て円板部３２２は、回転軸Ｘを囲むリング状を成している。
環状壁部３２３は、円板部３２２の外周から回転軸Ｘ側のオフセットした位置に設けられている。
【００７５】
［操作ノブ６］
連結部３２では、環状壁部３２３の外周に、操作ノブ６が外挿されている。
図９の（Ｂ）に示すように操作ノブ６は、環状の基部６０と、基部６０の下端側の内周に設けられた内壁部６１と、を有しており、回転軸Ｘ方向から見てリング状を成している。
【００７６】
操作ノブ６は、内壁部６１を、ムービングブロック３の環状壁部３２３の外周に外挿して設けられている。ムービングブロック３の円板部３２２の外周には、操作ノブ６の基部６０から下方に突出する当接部６０ａが、回転軸Ｘ方向から当接している
【００７７】
連結部３２と操作ノブ６は、回転軸Ｘ回りの周方向の複数箇所で連結されている。
前記したようにムービングブロック３は、ターミナルブロック２で回転可能に支持されている。そのため、ムービングブロック３に相対回転不能に連結された操作ノブ６は、ムービングブロック３を介してターミナルブロック２で回転可能に支持されている。
【００７８】
［照明部５］
図１２は、照明部５を説明する図である。図１２の（Ａ）は、照明部５の斜視図である。図１２の（Ｂ）は、照明部５を上方から見た図である。図１２の（Ｃ）は、（Ｂ）におけるＡ−Ａ断面図である。
【００７９】
操作ノブ６の基部６０には、照明部５の環状基部５０が回転軸Ｘ方向から挿入されている。環状基部５０の内側において環状基部５０は、内壁部６１に当接した位置で位置決めされている。
【００８０】
環状基部５０の内部には、導光体５１が埋め込まれている。導光体５１の一端の発光部５１ａ〜５１ｇが、環状基部５０の上面に露出している。
導光体５１は、環状基部５０からムービングブロック３の周壁部３１の内側に延出している。
導光体５１は、環状基部５０から離れるにつれて、回転軸Ｘ側（図中、左側）に傾斜した傾斜部５１０の下端から、回転軸Ｘに沿って下方に延びる入射部５１１と、傾斜部５１０の上端から、回転軸Ｘに沿って上方に延びる出射部５１２と、を有している。
【００８１】
入射部５１１は、ムービングブロック３の遮光板部３０の近傍まで及んでいる。入射部５１１の下端にある入射面５１１ａは、遮光板部３０に設けたスリット３６に回転軸Ｘ方向から対向可能な位置に配置されている。
入射部５１１は、プリント基板１１に設置された光源１１ａに、入射面５１１ａを向けている。
前記したように、ムービングブロック３は、操作ノブ６の操作に連動して回転軸Ｘ回りに回転する。
回転軸Ｘ回りに回転する操作ノブ６が、ユーザの操作により発光部５１ｇから光を照射させる角度位置に配置されると、発光部５１ｇを持つ導光体５１の入射部５１１の下方に、ムービングブロック３のスリット３６が配置される。
【００８２】
これにより、プリント基板１１上の光源１１ａから照射された光が、スリット３６を通って、発光部５１ｇを持つ導光体５１の入射部５１１を介して、発光部５１ｇから外部に照射されるようになっている。
【００８３】
図１３は、ムービングブロック３のスリット３６の作用を説明する図である。
図１３の（Ａ）は、ムービングブロック３のスリット３６の配置と、光源１１ａから出射された光が入射できる導光体５１との位置関係を説明する図である。図１３の（Ｂ）は、（Ａ）の部分拡大図でああって、光源１１ａから出射された光が、発光部５１ｄ、５１ｆから出射されるまでの光の移動経路を示している。なお、図１３の（Ｂ）では、プリント基板１１上での光源１１ａの配置を判りやすくするために、他の構成要素の図示を省略している。
【００８４】
図１４は、ムービングブロック３のスリット３６の作用を説明する図であって、スリット３６の配置による光の入射先の切り替えを説明する図である。
図１４の（Ａ）は、発光部５１ｅ、５１ｆを有する導光体５１、５１のうち、スリット３６を通過した光が、発光部５１ｆを有する導光体５１に入射する場合を示した図である。
図１４の（Ｂ）は、発光部５１ｅ、５１ｆを有する導光体５１、５１のうち、スリット３６を通過した光が、発光部５１ｅを有する導光体５１に入射する場合を示して図である。
【００８５】
図１３は、スイッチ装置１を上側から見た図である。この図では、照明部５の内側のカバー部８とプッシュボタン９とムービングブロック３の図示を省略して、プリント基板１１上の光源１１ａの配置を示している。さらに、図１３では、ムービングブロック３側のスリット３６の位置の変化を説明するために、スリット３６が、光源１１ａからの光を、発光部５１ｂ、５１ｄ、５１ｆを有する導光体５１に入射させる位置に配置されている場合を、交差したハッチングを付して示している。また、スリット３６が、光源１１ａからの光を、発光部５１ａ、５１ｃ、５１ｅ、５１ｇを有する導光体５１に入射させる位置に配置されている場合を破線で示している。
【００８６】
図１３に示すように、照明部５は、回転軸Ｘ回りの周方向に７つの導光体５１を有している。各導光体５１の発光部５１ａ〜５１ｇは、回転軸Ｘを所定間隔で囲む仮想円Ｉｍｂ上に位置している。
【００８７】
プリント基板１１では、合計４つの光源１１ａが、回転軸Ｘを所定間隔で囲む仮想円Ｉｍａ上に位置している。仮想線Ｉｍａ上において光源１１ａは、周方向に９０度間隔で設けられている。
回転軸Ｘ方向から見て光源１１ａは、周方向で隣り合う２つの導光体５１、５１の間に、１つずつ設けられている。発光部５１ａ〜発光部５１ｆの導光体５１は、隣り合う他の導光体５１と、１つの光源１１ａを共用している。発光部５１ｇの導光体５１は、他の導光体５１と光源を共有していない。
【００８８】
図１３の（Ａ）において、操作ノブ６の操作によりハッチングで示す位置にスリット３６が配置されると、隣り合う発光部５１ａ、５１ｂの導光体５１、５１と、発光部５１ｃ、５１ｄの導光体５１、５１と、発光部５１ｅ、５１ｆの導光体５１、５１とのうち、発光部５１ｂ、５１ｄ、５１ｆ側の導光体５１に光が入射できるようになる。
【００８９】
例えば図１３の（Ｂ）の場合には、発光部５１ｃ、５１ｅに対応する導光体５１と、発光部５１ｄ、５１ｆに対応する導光体５１のうち、発光部５１ｄ、５１ｆに対応する導光体５１に光源１１ａからの光を入射させる位置にスリット３６が配置されている。
【００９０】
図１４の（Ａ）の場合には、発光部５１ｅに対応する導光体５１と、発光部５１ｆに対応する導光体５１のうち、発光部５１ｆに対応する導光体５１に光源１１ａからの光を入射させる位置にスリット３６が配置されている。
図１４の（Ａ）に示すように各導光体５１では、入射部５１１の入射面５１１ａが、隣り合う他の導光体５１と共用する光源１１ａに向いているので、スリット３６を通過した光が、発光部５１ｆに対応する導光体５１に速やかに入射する。
【００９１】
操作ノブ６の回転操作が所定位置に到達すると、図示しない制御装置が、操作ノブ６の回転軸Ｘ周りの角度位置に応じて、４つの光源１１ａのうちの一つの光源１１ａから光を照射させる。
これにより、発光部５１ｂ、５１ｄ、５１ｆに対応する導光体５１のうち、発光させた光源１１ａに対応する導光体５１に光が入射する。これにより、光が入射した導光体５１の発光部から光が照射される。これにより、操作ノブ６を回転させたユーザは、操作ノブ６が、どの機能を発揮させる角度位置に配置されているのかを、発光する発光部の位置と、発光した発光部の内径側に位置する識別符号から特定できることになる。
【００９２】
例えば図１３の（Ｂ）の場合には、発光部５１ｄを持つ導光体５１に対応する光源１１ａと、発光部５１ｆを持つ導光体５１に対応する光源１１ａのうちの一方が点灯される。
また、図１４の（Ａ）の場合には、発光部５１ｆを持つ導光体５１に対応する光源１１ａが点灯される。
【００９３】
前記したように、遮光板部３０は、操作ノブ６の回転操作に連動して、回転軸Ｘ回りに回転する。
例えば、操作ノブ６の回転操作により、スリット３６が図１３の（Ａ）において破線で示す位置まで移動すると、光源１１ａからの光が入射する導光体が、発光部５１ｂ、５１ｄ、５１ｆ側の導光体５１から、発光部５１ａ、５１ｃ、５１ｅ、５１ｇ側の導光体５１に変更される。
【００９４】
また、操作ノブ６の回転操作により、スリット３６が、図１４の（Ａ）に示す位置から図１４の（Ｂ）まで変位すると、スリット３６は、光源１１ａから照射された光を、発光部５１ｅを持つ導光体５１に入射させる位置に配置される。
これにより、光源１１ａからの光が入射する導光体が、発光部５１ｆを持つ導光体５１から、発光部５１ｅを持つ導光体５１に変更される。
【００９５】
このように、操作ノブ６の操作により、周方向で隣り合う導光体５１のうちの一方の導光体に、光源１１ａから照射された光を入射させることが可能になる。
これにより、導光体５１毎に光源を用意する場合よりもスイッチ装置１の作製コストが低減するようになっている。
【００９６】
以上の通り、本実施形態にかかるスイッチ装置１は、以下の構成を有している。
（１）スイッチ装置１は、
回転軸Ｘ回りに回転可能な環状の操作ノブ６と、
操作ノブ６の内径側で、回転軸Ｘ周りの周方向に並んだ複数の発光部５１ａ〜５１ｇ（照明部位）と、を有する。
スイッチ装置１は、操作ノブ６の回転軸Ｘ回りの角度位置に応じて、発光する発光部５１ａ〜５１ｇ（照明される照明部位）が切り替わるように構成されている。
スイッチ装置１は、導光体５１と、遮光板部３０（遮光部材）と、スリット３６（開口部）と、を有する。
導光体５１は、回転軸Ｘ方向において光源１１ａと、発光部５１ａ〜５１ｇ（照明部位）を持つ照明部５（環状基部５０）との間に設けられて、光源１１ａから照射された光を発光部５１ａ〜５１ｇ（照明部位）に誘導する。
遮光板部３０は、回転軸Ｘ方向における光源１１ａと導光体５１との間に配置されている。遮光板部３０は、光源１１ａから照射された光の導光体５１への入射を阻止すると共に、操作ノブ６の回転に連動して回転軸Ｘ回りに回転する。
スリット３６（開口部）は、遮光板部３０において回転軸Ｘの径方向外側に設けられており、光源１１ａから照射された光を導光体５１側に通過させる。
導光体５１は、発光部５１ａ〜５１ｇ（照明部位）に１対１で設けられていると共に、回転軸Ｘ周りの周方向に、発光部５１ａ〜５１ｇと同数並んでいる。
操作ノブ６の回転に連動して回転軸Ｘ周りの周方向に変位するスリット３６により、光源１１ａから照射した光が入射する導光体５１が、操作ノブ６の回転軸Ｘ回りの角度位置に応じて切り替わる。
【００９７】
このように構成すると、発光部５１ａ〜５１ｇ（照明部位）毎に光源１１ａを設ける必要がないので、光源１１ａの総数を減らすことができる。
これにより、操作ノブ６の回転軸Ｘ回りの角度位置に応じて照明される発光部５１ａ〜５１ｇ（照明部位）が切り替わる構成のスイッチ装置をより安価に提供できる。
【００９８】
スイッチ装置１は、以下の構成を有している。
（２）回転軸Ｘ方向から見て遮光板部３０では、スリット３６が、回転軸Ｘ回りの周方向に所定間隔で複数並んでいる。
光源１１ａは、スリット３６と同数設けられている。光源１１ａの総数は、発光部５１ａ〜５１ｇ（照明部位）の総数未満である。
【００９９】
このように構成すると、発光部５１ａ〜５１ｇ（照明部位）と同数の光源を持つ既存のスイッチ装置よりも、光源１１の数が少なくなる。光源１１ａの数が少なくなった分だけ、スイッチ装置１の作製コストの低減が可能である。
【０１００】
スイッチ装置１は、以下の構成を有している。
（３）回転軸Ｘ方向から見て光源１１ａは、回転軸Ｘ回りの周方向で隣り合う導光体５１、５１の間にひとつずつ配置されている。
スリット３６は、光源１１ａから照射された光を、周方向で隣り合う導光体５１、５１のうちの一方に入射させる。
【０１０１】
このように構成すると、光源１１ａから照射された光を、隣り合う二つの導光体５１、５１のうちの一方に選択的に入射させることができる。
よって、隣り合う二つの照明部位（例えば、発光部５１ａ、５１ｂ）を一つの光源１１で照明できるので、光源１１ａの総数を削減できる。
【０１０２】
スイッチ装置１は、以下の構成を有している。
（４）回転軸Ｘ方向から見て光源１１ａは、回転軸Ｘを所定間隔で囲む仮想円Ｉｍａ上で、周方向に間隔を開けて並んでいる。
回転軸Ｘ方向から見てスリット３６は、仮想円Ｉｍａと重なる位置に設けられていると共に、仮想円Ｉｍａの周方向に所定長さを有している。
【０１０３】
スリット３６の仮想円Ｉｍａの周方向の所定長さを可能な限り長く取ると、光源１１ａから照射された光が入射する位置までスリット３６を移動させる際の操作ノブ６の操作量（操作角度）を小さくすることができる。
よって、例えば、同じ光源１１ａを使用する照明部位５１ａ、５１ｂの間での切替の場合、光源１１ａから照射された光が入射する導光体５１を、周方向で隣り合う二つの導光体５１、５１の間で切り替えるにあたり、切り替えに必要な操作ノブ６の操作量（操作角度）を小さくすることができる。
これにより、回転軸Ｘ回りの周方向に並んだ照明部位（例えば、照明部位５１ａ、５１ｂ）の間隔を狭めることが可能になるので、操作ノブ６に持たせることができる機能の総数を増やすことができる。
【０１０４】
スイッチ装置１は、以下の構成を有している。
（５）回転軸Ｘ周りの周方向で隣り合う導光体５１、５１は、光源１１ａから照射された光の入射面を、周方向から光源１１ａに向けて設けられている。
【０１０５】
このように構成することによっても、光源１１ａから照射された光が入射する導光体５１を、周方向で隣り合うと共に光源１１ａを共用する二つの導光体５１、５１の間で切り替えるにあたり、切り替えに必要な操作ノブ６の操作量（操作角度）を小さくすることができる。
【０１０６】
以上、本願発明の実施形態および変形例を説明したが、本願発明は、これらのものに限定されるものではなく、発明の技術的な思想の範囲内で適宜変更可能である。
【符号の説明】
【０１０７】
１        スイッチ装置
１１      プリント基板
１１ａ、１１ｂ    光源（ＬＥＤ）
１１ｃ、１１ｄ    貫通孔
１１ｅ    固定接点
１２      ラバーコンタクト
１２ｃ、１２ｄ    貫通孔
１２ｅ    接点支持部
１３      接続端子
１４      フォトトランジスタ
２        ターミナルブロック
２０      底壁部
２１      周壁部
２１０    フランジ部
２１１    係止部
２２      支持部
２３      環状突起
２４      支持筒
２５      ガイド筒
２９      コネクタカバー
３        ムービングブロック
３０      遮光板部（遮光部材）
３０ａ    貫通孔
３１      周壁部
３２      連結部
３２１    接続部
３２２    円板部
３２３    環状壁部
３５      環状壁
３５ａ    山部
３５ｂ    谷部
３６      スリット
３７      シャッタ部
４        ホルダ
４０      基部
４２      係合部
４３      スプリングホルダ
４４      当接部
５        照明部
５０      環状基部
５１      導光体
５１ａ〜５１ｇ    発光部（照明部位）
５１０    傾斜部
５１１    入射部
５１１ａ  入射面
５１２    出射部
６        操作ノブ
６０      基部
６１      内壁部
７        スライダ
７０      基部
７１      底壁
７２      仕切壁
７３      押圧部
８        カバー部
９        プッシュボタン
９ａ      発光部
Ｂ        ボール
Ｉｍ１、Ｉｍａ、Ｉｍｂ、Ｉｍｃ    仮想円
Ｌｍ、Ｌｎ      直径線
ＭＫ１、ＭＫａ〜ＭＫｇ    識別符号
Ｓ１      空間
Ｓ２      空間
Ｓｐ      スプリング
Ｘ        回転軸
【図１】
2020035545.tif 000003
【図２】
2020035545.tif 000004
【図３】
2020035545.tif 000005
【図４】
2020035545.tif 000006
【図５】
2020035545.tif 000007
【図６】
2020035545.tif 000008
【図７】
2020035545.tif 000009
【図８】
2020035545.tif 000010
【図９】
2020035545.tif 000011
【図１０】
2020035545.tif 000012
【図１１】
2020035545.tif 000013
【図１２】
2020035545.tif 000014
【図１３】
2020035545.tif 000015
【図１４】
2020035545.tif 000016